(57)【要約】【課題】撮像中の画像を高画質に表示可能とする。【解決手段】画像信号生成部２０によって、可変速フレームレート撮像画像の画像信号ＤＶaを生成する。フレームレート検出部４０は、接続された外部機器１００の入力フレームレートを検出して、この検出した入力フレームレートを示す信号ＦＤＴをフレームレート変換処理部３０に供給する。フレームレート変換部３０は、信号ＦＤＴに基づいて画像信号ＤＶaを入力フレームレートに変換して画像信号ＤＶbとして外部機器に出力する。外部機器として、高いフレームレートで画像表示を行うことができる画像表示装置を用いれば、高いフレームレートの画像信号ＤＶbが画像表示装置に供給されるので、撮像中の画像を高画質で表示可能となる。【選択図】        図１
2005039711.tif 000002
【特許請求の範囲】
【請求項１】
可変速フレームレート撮像画像の画像信号を生成する画像信号生成手段と、
接続される外部機器の入力フレームレートを検出するフレームレート検出手段と、
前記可変速フレームレート撮像画像の画像信号を、前記フレームレート検出手段で検出された入力フレームレートに変換するフレームレート変換処理手段を有する
ことを特徴とする撮像装置。
【請求項２】
前記フレームレート変換処理手段は、前記画像信号のフレーム加算処理を行うことでフレーム変換を行う
ことを特徴とする請求項１記載の撮像装置。
【請求項３】
前記フレームレート変換処理手段は、フレームレート変換後の画像信号をモニタ画信号として出力し、前記フレームレート検出手段で前記入力フレームレートが検出されていないときは、フレームレート変換が行われていない画像信号を本線画信号として出力する
ことを特徴とする請求項１記載の撮像装置。
【請求項４】
前記画像信号生成手段で生成された画像信号を本線画信号として出力し、
前記フレームレート変換処理手段でフレームレートが変換された画像信号をモニタ画信号として出力する
ことを特徴とする請求項１記載の撮像装置。
【請求項５】
画像信号生成手段で生成された画像信号のフレームレート変換を行う第２フレームレート変換処理手段を設け、
前記第２フレームレート変換処理手段でフレームレートが変換された画像信号を本線画信号として出力し、
前記フレームレート変換処理手段でフレームレートが変換された画像信号をモニタ画信号として出力する
ことを特徴とする請求項１記載の撮像装置。
【請求項６】
前記画像信号生成手段は、可変速フレームレート撮像画像の画像信号を前記入力フレームレート以上のフレームレートで生成する
ことを特徴とする請求項１記載の撮像装置。
【請求項７】
前記フレームレート検出手段は、前記入力フレームレートの最高値を検出し、
前記フレームレート変換手段は、前記可変速フレームレート撮像画像の画像信号を、前記フレームレート検出手段で検出された入力フレームレートの最高値に変換する
ことを特徴とする請求項１記載の撮像装置。
【発明の詳細な説明】
【技術分野】
【０００１】
この発明は撮像装置に関する。詳しくは、可変速フレームレート撮像画像の画像信号を外部機器に供給するとき、この外部機器の入力フレームレートを検出して、可変速フレームレート撮像画像の画像信号を検出された入力フレームレートに変換して出力するものである。
【背景技術】
【０００２】
従来の映画製作等では、特殊な映像効果を得ることができるように、フィルムカメラの撮影速度、すなわち１秒間のコマ数を可変させた撮影が行われている。例えば、撮影は通常の速度よりも高速で行い、再生は通常速度で行うものとすると、再生画像はスロー再生画像となる。このため、水面に水滴が落下したときのような高速度動作を容易かつ詳細に観察できる。また、撮影は通常の速度よりも低速で行い、再生は通常速度で行うものとすると、高速再生画像となる。このため、格闘シーンやカーチェイスシーン等でのスピード感を高めて臨場感の高い画像提示を行うことができる。
【０００３】
また、テレビジョン番組制作等では、番組の撮像や編集および送出等のディジタル化が図られていたが、ディジタル技術の進展に伴う高画質化や機器の低価格化によって、映画製作等においてもディジタル化が図られてきている。
【０００４】
ここで、テレビジョン番組制作や映画製作等のディジタル化により撮像装置（ビデオカメラ）を用いて撮像を行うものとした場合、高速再生やスロー再生等の特殊な映像効果を容易に得ることができるように、フレームレートを可変することが可能とされている特許文献１の撮像装置が用いられている。この撮像装置を用いて、所定フレームレートよりもフレームレートを低下させて撮像を行い、この撮像画像を所定のフレームレートで再生すれば、簡単に高速再生画像を得ることができる。また、フレームレートを高くして撮像を行い、この撮像画像を所定のフレームレートで再生すれば、簡単にスロー再生画像を得ることができる。
【０００５】
【特許文献１】特開２０００−１２５２１０号公報
【発明の開示】
【発明が解決しようとする課題】
【０００６】
ところで、電子ビューファインダーやモニタ装置等の画像表示装置を外部機器として撮像装置に接続して、撮像中の画像を画像表示装置の表示画像によって確認する場合、画像の確認を容易とするためには、表示される画像が高画質であることが望ましい。しかし、撮像装置から出力される信号が所定のフレームレートに固定されていると、このフレームレートよりも高いフレームレートで画像表示を行うことができる画像表示装置を用いても、画像表示装置の表示性能が有効に活用されず撮像中の画像を高画質に表示することができない。
【０００７】
そこで、この発明では、撮像中の画像を高画質に表示可能とする撮像装置を提供するものである。
【課題を解決するための手段】
【０００８】
この発明に係る撮像装置は、可変速フレームレート撮像画像の画像信号を生成する画像信号生成手段と、接続される外部機器の入力フレームレートを検出するフレームレート検出手段と、可変速フレームレート撮像画像の画像信号をフレームレート検出手段で検出された入力フレームレートに変換するフレームレート変換処理手段を有するものである。
【０００９】
この発明においては、画像信号生成手段によって、可変速フレームレート撮像画像の画像信号が生成される。また、フレームレート検出手段によって、外部機器例えば電子ビューファインダーやモニタ装置の入力フレームレートや入力フレームレートの最高値が検出されて、画像信号生成手段で生成された画像信号が、検出された入力フレームレートにフレームレート変換手段によって変換されてモニタ画信号として出力される。また、画像信号生成手段で生成された画像信号や、フレームレート検出手段によって、外部機器の入力フレームレートが検出されなかったことによりフレームレート変換手段によってフレームレート変換が行われなかった画像信号が本線画信号として出力される。
【００１０】
また、第２フレームレート変換処理手段が設けられて、この第２フレームレート変換処理手段で生成された画像信号が本線画信号として出力され、フレームレート変換手段で生成された画像信号がモニタ画信号として生成される。また、フレームレート変換手段では、フレーム加算を行うことでフレームレート変換が行われる。さらに、画像信号生成手段では、可変速フレームレート撮像画像の画像信号が入力フレームレート以上のフレームレートで生成される。
【発明の効果】
【００１１】
この発明によれば、可変速フレームレート撮像画像の画像信号を生成する画像信号生成手段と、接続される外部機器の入力フレームレートを検出するフレームレート検出手段と、可変速フレームレート撮像画像の画像信号をフレームレート検出手段で検出された入力フレームレートに変換して外部機器に出力するフレームレート変換処理手段が設けられる。このため、外部機器として高いフレームレートで画像表示を行うことができる画像表示装置を用いれば、撮像画像を高画質に表示することが可能となり、撮像中の画像の確認を容易に行うことができる。
【００１２】
また、フレームレート変換処理手段では、フレームレート変換後の画像信号がモニタ画信号として出力されるとともに、フレームレート検出手段で入力フレームレートが検出されていないときは、フレームレート変換が行われていない画像信号が本線画信号として出力される。このため、接続される外部機器に応じて、本線画信号あるいはモニタ画信号を出力させることができる。
【００１３】
また、画像信号生成手段で生成された画像信号が本線画信号として出力されるとともに、フレームレート変換処理手段でフレームレートが変換された画像信号がモニタ画信号として出力される。このため、モニタ画像を高画質に表示することが可能となるとともに、本線画像を別個に出力できる。
【００１４】
また、画像信号生成手段で生成された画像信号のフレームレート変換を行う第２フレームレート変換処理手段が設けられて、第２フレームレート変換処理手段でフレームレートが変換された画像信号が本線画信号として出力されるとともに、フレームレート変換処理手段でフレームレートが変換された画像信号がモニタ画信号として出力される。このため、画像信号生成手段で生成された画像信号のフレームレートに係らず、所望のフレームレートで本線画信号とモニタ画信号を生成できる。
【００１５】
さらに、画像信号生成手段で生成される画像信号は、入力フレームレート以上のフレームレートとされるので、画像信号のフレームレート変換を行ったときに、同じフレーム画像を繰り返してフレームレートが調整されることがない。また、外部機器の入力フレームレートの最高値なるように画像信号のフレームレート変換が行われるので、外部機器の表示性能を有効に活用して撮像中の画像を高画質で表示できる。
【発明を実施するための最良の形態】
【００１６】
以下、図を参照しながら、この発明を実施するための一形態について説明する。図１は撮像装置の第１の構成を示している。撮像レンズやアイリスを通して入射された光は、撮像装置１０の画像信号生成部２０を構成する撮像部２１に入射されて、撮像素子の撮像面上に被写体画像が結像される。撮像素子は、光電変換によって被写体画像の撮像電荷を生成し、駆動部２２から供給された駆動制御信号ＲＣに基づいて撮像電荷を読み出し、この読み出した撮像電荷を電圧信号に変換して撮像信号Ｓpaとして撮像信号処理部２３に供給する。また、撮像中に撮像画像のフレームレートを可変して可変速フレームレート撮像画像の画像信号を生成する場合、駆動制御信号ＲＣによって撮像電荷の読み出しのタイミングを制御して、撮像信号Ｓpaのフレームレートを可変速フレームレート撮像画像のフレームレートに対応させる。
【００１７】
駆動部２２は、後述する制御部５０から供給された制御信号ＣＴに基づいて駆動制御信号ＲＣを生成して撮像部２１に供給する。
【００１８】
撮像信号処理部２３は、撮像信号Ｓpaを増幅したのちノイズ成分を除去する。またノイズ除去された画像信号をディジタル信号に変換したのち、フィードバッククランプ処理やフレアー補正、撮像素子の欠陥に対する補正処理、プロセス処理等を行い、画像信号ＤＶaを生成する。この画像信号ＤＶaは、フレームレート変換処理部３０に供給される。
【００１９】
フレームレート変換処理部３０は、後述するフレームレート検出部４０からのフレームレート検出信号ＦＤＴに基づいてフレームレート変換処理を行い、画像信号ＤＶaを撮像装置１０に接続された外部機器１００の入力フレームレートに変換して画像信号ＤＶbとして外部機器１００に出力する。
【００２０】
フレームレート検出部４０は、接続された外部機器１００の入力フレームレートを検出して、この検出した入力フレームレートを示すフレームレート検出信号ＦＤＴフレームレート変換処理部３０に供給する。入力フレームレートの検出は、例えば外部機器１００と通信を行い、外部機器１００から入力フレームレートの情報を入手する。また、接続可能である外部機器の入力フレームレート情報を予め記憶しておき、いずれの外部機器が接続されたかを判別して、判別された外部機器に対応する入力フレームレート情報を読み出して用いる。また、後述するユーザインタフェース部５１から、外部機器１００の入力フレームレートを示す信号をユーザによって入力させて、この入力された信号をフレームレート検出信号ＦＤＴとしてフレームレート変換処理部３０に供給することもできる。さらに、外部機器１００が複数の入力フレームレートに対応するものであるとき、フレームレート検出部４０は、最もフレームレートが高い入力フレームレートをフレームレート検出信号ＦＤＴによってフレームレート変換処理部３０に通知する。
【００２１】
制御部５０には、ユーザインタフェース部５１が接続されている。このユーザインタフェース部５１を介して、ユーザ操作に応じた操作信号ＰＳが供給されると、制御部５０は、操作信号ＰＳに基づいた制御信号ＣＴを生成して画像信号生成部２０に供給し、撮像装置１０をユーザの操作に応じて動作させる。また、操作信号ＰＳによって、可変速フレームレート撮像画像のフレームレートが可変されたときには、制御信号ＣＴに基づいて撮像部２１で生成される撮像信号Ｓpaのフレームレートを可変速フレームレート撮像画像のフレームレートに応じて可変させる。
【００２２】
図２は、フレームレート変換処理部３０の構成の一例を示している。フレームレート変換処理部３０は、供給された画像信号ＤＶaを、例えば３つのＲＡＭ(Random Access Memory)３１-a〜３１-cにフレーム単位で順次書き込む。また、外部機器１００の入力フレームレートに応じて、順次ＲＡＭを選択しながらＲＡＭに書き込まれている画像信号を読み出し、画像信号ＤＶaを入力フレームレートの画像信号ＤＶbに変換して出力する。
【００２３】
書込制御部３２は、図示せずも、制御部５０からの制御信号ＣＴに基づいて、あるいは画像信号ＤＶaの同期信号ＳＹaを利用して、画像信号ＤＶaを書き込むＲＡＭを選択するための選択信号ＳＥＷや、画像信号ＤＶaをＲＡＭに書き込むための書込制御信号ＣＫＷを生成する。この選択信号ＳＥＷは、信号セレクタ３３に供給される。また、書込制御信号ＣＫＷは、画像信号ＤＶaを書き込むＲＡＭに供給される。さらに、書込制御部３２は、各ＲＡＭでの画像信号ＤＶaの書き込み状態を示す書込情報信号ＭＩＦを生成して、読出制御部３４に供給する。
【００２４】
信号セレクタ３３は、選択信号ＳＥＷによって選択されたＲＡＭに画像信号ＤＶaを供給し、この選択されたＲＡＭでは、書込制御信号ＣＫＷに基づいて画像信号ＤＶaの書き込みを行う。
【００２５】
読出制御部３４は、フレームレート検出信号ＦＤＴに基づき、読出制御信号ＣＫＲを生成する。この読出制御信号ＣＫＲは、外部機器１００の入力フレームレートでＲＡＭから画像信号を読み出すための信号である。また、フレームレート検出信号ＦＤＴと書込情報信号ＭＩＦに基づき、画像信号を読み出すＲＡＭを選択するための選択信号ＳＥＲを生成する。選択信号ＳＥＲは、信号セレクタ３５に供給される。また読出制御信号ＣＫＲは、画像信号を読み出すＲＡＭあるいは各ＲＡＭに供給される。
【００２６】
読出制御信号ＣＫＲが供給されたＲＡＭは、記憶している画像信号を読出制御信号ＣＫＲに基づき読み出して信号セレクタ３５に供給する。信号セレクタ３５は、選択信号ＳＥＲによって選択されたＲＡＭから読み出した画像信号を選択して、画像信号ＤＶbとして出力する。
【００２７】
ここで、ＲＡＭからの画像信号の読み出しは、書込情報信号ＭＩＦに基づき画像信号の書き込みが最後に完了しているＲＡＭを判別して、この判別したＲＡＭを次に画像信号の読み出しを行うＲＡＭとして選択するように選択信号ＳＥＲを生成する。また、ＲＡＭから１フレーム分の画像信号を読み出したとき、次フレームの画像信号の書き込みが完了していないことを書込情報信号ＭＩＦによって検出した場合は、画像信号を読み出すＲＡＭを変更することなく、同じフレームの画像信号を読み出すものとする。このように画像信号の読み出しを制御することで、画像信号ＤＶaのフレームレートが入力フレームレートよりも高く設定されているときは、画像信号ＤＶaに対して入力フレームレートに応じたフレーム間引きが行われて、入力フレームレートの画像信号ＤＶbを生成できる。また、画像信号ＤＶaのフレームレートが入力フレームレートよりも低く設定されているときには、画像信号ＤＶaをフレーム単位で繰り返すことによりフレーム追加が行われて、入力フレームレートの画像信号ＤＶbを生成できる。
【００２８】
このように、撮像装置１０からは、外部機器１００の入力フレームレートに応じた画像信号ＤＶbが出力されるので、高いフレームレートで画像表示を行うことができる画像表示装置が接続されたときは、撮像画像を高画質に表示することが可能となり、撮像中の画像の確認を容易に行うことができる。
【００２９】
また、外部機器１００が複数の入力フレームレートに対応するものであるとき、最も高い入力フレームレートがフレームレート検出信号ＦＤＴで示される。このため、画像信号ＤＶaは、フレームレートが最も高い入力フレームレートに変換されて画像信号ＤＶbとして出力されるので、外部機器１００の表示性能を有効に活用して撮像中の画像を表示できる。
【００３０】
また、フレームレート変換処理部３０は、フレームレート検出部４０からフレームレート検出信号ＦＤＴが供給されていないとき、画像信号ＤＶaのフレームレートを変換することなく画像信号ＤＶbとして出力させる。このようにすれば、接続される外部機器１００に応じて、入力フレームレートの画像信号ＤＶbあるいはフレームレート変換が行われていない画像信号ＤＶbが出力されて、上述のように外部機器１００として画像表示装置を接続したときは、入力フレームレートの画像信号ＤＶbをモニタ画信号として用いることで撮像画像を高画質に表示することができる。また、外部機器１００として光ディスクや磁気ディスク等を用いた信号記録装置を接続するとともに、フレームレート検出信号ＦＤＴをフレームレート変換処理部３０に供給しないようして、フレームレートの変換が行われていない画像信号ＤＶbを本線画信号として用いれば、画像信号生成部２０で生成された可変速フレームレート撮像画像の画像信号ＤＶaをフレーム順に記録できる。
【００３１】
ところで、上述の実施の形態のように、撮像フレームレートを可変して撮像画像の画像信号を生成するものとした場合、撮像画像のフレームレートが低くなると、生成される画像信号のフレーム数が少なくなる。このとき、電子ビューファインダー等の画像表示装置に表示される画像は、フレームレート変換によって同じフレームの画像が繰り返し表示されて撮像画像の更新間隔が長くなる。したがって、高いフレームレートで画像表示を行うことができる画像表示装置を用いても、撮像中の画像を高いフレームレートで更新しながら高画質に表示できない。また、同じフレームの画像が繰り返し表示されて撮像画像の更新間隔が長いことから、被写体の動きが早いときは、被写体の位置が撮像画像の所望の位置となるように撮像することができなくなってしまう。そこで、第２フレームレート変換処理手段であるフレームレート変換処理部６０を設けて、可変速フレームレート撮像画像のフレームレートに応じて、撮像信号Ｓpaのフレームレート制御だけでなく画像信号のフレームレート変換を行い、撮像信号Ｓpaのフレームレートが低下しないように制御する。
【００３２】
図３は、フレームレート変換処理部６０を設けた場合の撮像装置を第２の構成として示している。なお、図３において、図１と対応する部分については同一符号を付している。このフレームレート変換処理部６０は、例えばフレーム加算を行いフレームレート変換を行うものとする。
【００３３】
画像信号生成部２０で生成された画像信号は、フレームレート変換処理部３０とフレームレート変換処理部６０に供給される。また、制御部５０は、可変速フレームレート撮像画像のフレームレートに応じて、フレーム加算処理における加算フレーム数を設定する制御信号ＣＴＭを生成してフレームレート変換処理部６０に供給する。
【００３４】
フレームレート変換処理部６０は、制御部５０から供給された制御信号ＣＴＭに基づいた加算フレーム数で画像信号ＤＶaのフレーム加算処理を行い、画像信号ＤＶaのフレームレートを可変させる。このフレーム加算処理も、ＲＡＭを用いて行うことができる。例えば、３フレーム加算を行う場合、１フレーム目の画像信号ＤＶaをＲＡＭ-1に記憶させ、このＲＡＭ-1に記憶された信号を読み出して２フレーム目の画像信号ＤＶaと加算してＲＡＭ-2に記憶させる。このＲＡＭ-2に記憶されている加算信号を読み出して３フレーム目の画像信号ＤＶaと加算してＲＡＭ-3に記憶させる。このＲＡＭ-3に記憶された信号は、３フレーム分の画像信号ＤＶaを加算した信号となり、この信号を読み出して信号レベルを（１／３）倍すれば、所要の信号レベルであるとともに、フレームレートを（１／３）倍した信号となる。また、４フレーム目の画像信号ＤＶaをＲＡＭ-1に記憶させ、このＲＡＭ-1に記憶された信号を読み出して５フレーム目の画像信号ＤＶaと加算してＲＡＭ-2に記憶させる。このＲＡＭ-2に記憶されている加算信号を読み出して６フレーム目の画像信号ＤＶaと加算してＲＡＭ-3に記憶させる。このＲＡＭ-3に記憶された信号は、３フレーム分の画像信号ＤＶaを加算した信号となり、この信号を読み出して信号レベルを（１／３）倍すれば、所要の信号レベルであるとともに、フレームレートを（１／３）倍した信号となる。以下同様にして、フレームレートを（１／３倍）した画像信号ＤＶcを順次生成できる。
【００３５】
なお、フレーム加算処理は、フレーム遅延回路を用いても行うことができる。例えば、１フレーム目の画像信号ＤＶaをフレーム遅延回路で２フレーム期間遅延させると共に、２フレーム目の画像信号ＤＶaをフレーム遅延回路で１フレーム期間遅延させる。この遅延させた１フレーム目の画像信号と２フレーム目の画像信号ＤＶaを、３フレーム目の画像信号ＤＶaに加算して３フレーム分の画像信号ＤＶaが加算された信号を得る。この信号の信号レベルを（１／３）倍すれば、所要の信号レベルであるとともに、フレームレートを（１／３）倍した画像信号ＤＶcを得ることができる。
【００３６】
このようにフレーム加算処理を行うことで、例えば画像信号ＤＶaのフレームレートが「６０Ｐ（数字は１秒当たりのフレーム数、Ｐはプログレッシブ方式の信号であることを示すものであり、他の場合も同様である)」であるとき、加算フレーム数を２フレームとして「３０Ｐ」の画像信号を得ることができる。また加算フレーム数を４フレームとすれば、「１５Ｐ」の画像信号を得ることができる。
【００３７】
また、加算フレーム数の切り換えだけでなく、撮像素子からの信号読み出しを制御して撮像信号Ｓpaのフレームレートを可変すれば、可変速フレームレート撮像画像のフレームレートを連続して可変することが可能となる。ここで、撮像信号Ｓpaのフレームレートを可変する場合、駆動部２２から撮像部２１に供給する駆動制御信号ＲＣによって、撮像素子での電荷蓄積期間や撮像電荷の読み出しタイミング等を制御することでフレームレートが可変された撮像信号Ｓpaを得ることができる。さらに、ＣＤＲ方式(Common Data Rate:共通サンプリング周波数方式)を用いるものとして、水平帰線期間あるいは垂直帰線期間の長さを調整して、撮像フレームレートＦＲpの可変処理を行うものとすれば、撮像フレームレートＦＲpを可変しても有効画面期間の画像サイズが変化しない撮像信号Ｓpaを生成できる。また、ＣＤＲ方式を用いることで、撮像フレームレートＦＲpを用いる各部の動作周波数を撮像フレームレートＦＲpに応じて可変する必要がなく、構成が簡単となる。
【００３８】
図４は、可変速フレームレート撮像画像のフレームレート（可変速フレームレート）ＦＲcに対する加算フレーム数ＦＡと撮像信号Ｓpaのフレームレート（撮像フレームレート）ＦＲpの関係を示している。例えば図４に示すように、可変速フレームレートＦＲcが「６０Ｐ≧ＦＲc＞３０Ｐ」の範囲内に設定されたときは、フレームレート変換処理部６０の加算フレーム数ＦＡを「１」として、撮像フレームレートＦＲpを可変速フレームレートＦＲcと等しくする。可変速フレームレートＦＲcが「３０Ｐ≧ＦＲc＞２０Ｐ」の範囲内に設定されたときは、加算フレーム数ＦＡを「２」として、撮像フレームレートＦＲpを可変速フレームレートＦＲcの２倍とする。可変速フレームレートＦＲcが「２０Ｐ≧ＦＲc＞１５Ｐ」の範囲内に設定されたときは、加算フレーム数ＦＡを「３」として、撮像フレームレートＦＲpを可変速フレームレートＦＲcの３倍とする。以下同様にして、撮像フレームレートＦＲpと加算フレーム数ＦＡを切り替えることで、可変速フレームレートＦＲcを連続に可変できる。
【００３９】
フレームレート変換処理部３０は、撮像フレームレートの画像信号ＤＶaのフレームレートを入力フレームレートの画像信号ＤＶbに変換する。ここで、画像信号ＤＶaのフレームレートは、可変速フレームレートＦＲcに係らず「６０Ｐ≧ＦＲc＞３０Ｐ」の範囲内に設定される。このため、画像表示装置の入力フレームレートが高いほど、フレームレート変換処理における画像信号ＤＶaのフレーム画像の間引きが少なくなり、撮像中の画像を高いフレームレートで更新しながら高画質に表示できる。また、撮像中の画像を高いフレームレートで更新しながら高画質で画像表示装置に表示していても、フレームレート変換処理部６０から可変速フレームレートの画像信号ＤＶcを本線画信号として出力することができる。
【００４０】
さらに、加算フレーム数の切り換えのみを行うものとして、撮像フレームレートＦＲpのフレームレートを高く設定すれば、画像表示装置の入力フレームレートが高いほど、フレームレート変換処理部３０における画像信号ＤＶaのフレーム画像の繰り返しが少なくなり、撮像中の画像を高画質に表示できる。
【００４１】
加算フレーム数の切り換えのみを行う場合、図５に示す撮像装置の第３の構成のように、画像信号生成部２０は、駆動部２２aからの駆動制御信号ＲＣ-aに基づき撮像素子を駆動して一定のフレームレートの撮像信号Ｓpa-aを生成し、フレームレート変換処理部３０とフレームレート変換処理部６０に供給する。フレームレート変換処理部６０は、制御部５０からの制御信号ＣＴＭに基づいてフレーム加算を行い、画像信号ＤＶa-aのフレームレートを「１／ＦＡ」倍とした画像信号ＤＶcを出力する。また、フレームレート変換処理部３０は画像信号ＤＶa-aのフレームレート変換を行い、入力フレームレートの画像信号ＤＶbを生成する。
【００４２】
ここで、撮像フレームレートＦＲpを入力フレームレート以上のフレームレートに固定すれば、可変速フレームレート撮像画像のフレームレート切り換えがステップ的に行われるものとなるが、フレーム数を追加するために同じフレームの画像の繰り返して画像信号ＤＶbが生成されることを無くすことができる。
【００４３】
なお、上述の実施の形態において、フレームレート変換処理部３０は、ＲＡＭへの信号の書き込みと読み出しを制御してフレームレート変換を行い、フレームレート変換処理部６０は、フレーム加算処理を行いフレームレート変換を行うものとしたが、フレームレート変換処理部３０，６０で行うフレームレート変換は、この処理に限定されるものではない。例えば、フレームレート変換処理部３０でフレーム加算を行うものとしたり、フレームレート変換処理部６０でＲＡＭへの信号の書き込みと読み出しを制御してフレームレート変換を行うものとしても良い。さらに、他のフレームレート変換処理方法、例えばフレーム間引きによってフレーム数を減らしたり、動き予測による内挿画像を生成してフレーム数を増やすことにより、フレームレートを可変する方法等も用いることができる。
【産業上の利用可能性】
【００４４】
以上のように、本発明に係る撮像装置は、フレームレートを可変して撮像を行っているとき、撮像中の画像を高画質に表示できるので、映像コンテンツ製作等において特殊な映像効果を得る際に好適である。
【図面の簡単な説明】
【００４５】
【図１】撮像装置の第１の構成を示す図である。
【図２】フレームレート変換処理部の構成を示す図である。
【図３】撮像装置の第２の構成を示す図である。
【図４】可変速フレームレートに対する加算フレーム数と撮像フレームレートの関係を示す図である。
【図５】撮像装置の第３の構成を示す図である。
【符号の説明】
【００４６】
１０・・・撮像装置、２０・・・画像信号生成部、２１・・・撮像部、２２，２２a・・・駆動部、２３・・・撮像信号処理部、３０、６０・・・フレームレート変換処理部、３１-a〜３１-c・・・ＲＡＭ、３２・・・書込制御部、３３，３５・・・信号セレクタ、３４・・・読出制御部、４０・・・フレームレート検出部、５０・・・制御部、５１・・・ユーザインタフェース部、１００・・・外部機器
【図１】
2005039711.tif 000003
【図２】
2005039711.tif 000004
【図３】
2005039711.tif 000005
【図４】
2005039711.tif 000006
【図５】
2005039711.tif 000007